(57)【要約】  使用中に性器を固定するための固定ポケットを備える、使い捨て式の男性用失禁保護品である。
2008540028.tif 000002
【特許請求の範囲】
【請求項１】
使用中は前方に面するようにされている前部横方向端辺（９）と、
使用中は後方に面するようにされている後部横方向端辺（１０）と、
２つの長手方向端辺（６、７）と、
を有する、使い捨て式の男性用失禁保護品（１）であって、
上部液体透過性ケーシング層（２）と、
下部支持層（３）と、
前記液体透過性ケーシング層（２）と前記支持層（３）との間に配置されている吸収体（４）と、
を備え、
実質的に非吸収性材料層（１３）が、前記吸収体（４）から離れる方向に向けられている前記液体透過性ケーシング層（２）の側に配置され、
前記材料層（１３）の周縁（１７）は、前記液体透過性ケーシング層（２）又は支持層（３）の少なくとも一方に、前記後部横方向端辺（１０）及び２つの長手方向端辺に沿って接続され、
前記材料層（１３）は、前部横方向端辺（１４）を有し、該横方向端辺は自由端とされ、
ポケット（１５）が、前記材料層（１３）と前記液体透過性ケーシング層（２）との間に形成され、
前記ポケット（１５）の開口部（１６）は、前記材料層（１３）の前記前部横方向端辺（１４）に配置されていることを特徴とする失禁保護品（１）。  
【請求項２】
前記実質的に非吸収性の材料層（１３）は、メッシュによって構成されていることを特徴とする請求項１に記載の失禁保護品（１）。
【請求項３】
前記実質的に非吸収性の材料層（１３）は、不織材によって構成されていることを特徴とする請求項１に記載の失禁保護品（１）。
【請求項４】
前記実質的に非吸収性の材料層（１３）は、弾性特性を有していることを特徴とする請求項１〜３のいずれか一項に記載の失禁保護品（１）。
【請求項５】
前記実質的に非吸収性の材料層（１３）は、弾性部材を備えていることを特徴とする請求項４に記載の失禁保護品（１）。
【請求項６】
前記弾性部材は、弾性糸又は弾性リボンによって構成され、前記糸又はリボンは、実質的に前記失禁保護品（１）の前記横方向に延在していることを特徴とする請求項５に記載の失禁保護品（１）。
【請求項７】
前記実質的に非吸収性の材料層（１３）は、弾性不織材によって構成されていることを特徴とする請求項４に記載の失禁保護品（１）。
【発明の詳細な説明】
【技術分野】
【０００１】
本発明は、男性用の使い捨て式失禁保護品に関する。失禁保護品は、使用中に前方に面するようにされた前部横方向端辺と、使用中に後方に面するようにされた後部横方向端辺と、２つの長手方向端辺とを有している。失禁保護品はさらに、上部の液体透過性ケーシング層と、下部の背面層と、液体透過性ケーシング層と背面層との間に配置された吸収性本体とを備えている。
【背景技術】
【０００２】
多くの場合、軽い失禁として取り扱われ、少量の尿漏れを引き起こすものは、罹患している人にとっては軽い不満にとどまらない。軽い失禁は、多くの人が蒙っている隠れた障害である。軽い失禁を有する男性の大きなグループが、前立腺異常を有する男性によって構成されている。前立腺の手術の後に、多くの男性が尿漏れの問題を抱えるようになり、この尿漏れの問題は、好適な失禁保護品が入手できないことによって多くの男性にとって精神的な苦痛を生じさせている。
【０００３】
従来使用されている、いわゆる軽い失禁を患っている男性のための失禁保護品は、軽い形態の失禁を患っている女性用の失禁保護品と同様の方法で構成されていることが多い。同じタイプの失禁保護品が男性と女性との両方に使用されることさえ多いのである。これは、軽い失禁が男性におけるよりも女性における方が通常であり、女性のための失禁保護品がより知られており、選択肢がより多いという事実によるものである。失禁保護品は女性の体に特に合わせられており、よって男性の体に特に好適であるわけでは決して無い。また、軽い失禁症の男性が、重症の失禁症用の失禁保護品を使用することも通常となっている。これら失禁保護品は、尿失禁と便失禁との両方に有効に作用するようにされており、単に尿失禁でしかない男性が着用するには大きく、扱いにくいものである。この種の扱いにくい失禁パッドの使用は、社会に社会的にかかわるという男性の希望に対して大きな制限を課している。さらに、これら失禁保護品は着用が不快であるとともに通常の洋服の下では極端に大きい。
【０００４】
軽い失禁を有する男性用の特別な失禁保護品が従来から知られているが、このような失禁保護品に対する効果的な解決法は大幅に不足した状態が続いている。
【０００５】
尿失禁の男性のために特に設計された通常使用されているタイプの失禁保護品は、着用者のペニス（及び、ときには陰嚢も）を取り囲むようにされた略円錐状の容器を備えている。円錐状の容器は通常、吸収性材料と、着用者の性器に隣接する液体透過性のケーシング材料と、外側の周囲環境に面する液体不透過性の遮蔽層とで作られている。
【０００６】
このタイプの失禁保護品が有する主な欠点は、暑すぎ、きつすぎ、よって着用者にとって着用が不快であるということである。さらなる欠点は、保護品が、その設計の結果、剛く、不快であり、着用者を傷つける、又は別の不快さを与える傾向があるということである。
【０００７】
保護品の固定は、着用者のペニスの周りに留められた円錐状の容器によって達成されている。所定の失禁保護品に対しては、固定は、また、接着性の表面、面ファスナー（ｈｏｏｋ−ａｎｄ−ｌｏｏｐ）又はその種の表面を備える円錐状の容器の外側によって達成され、この円錐状の容器の外側は、着用者の下着に固定される。着用者の体及び下着への固定の組み合わせもまた見受けられる。
【０００８】
尿失禁症の男性着用者用の失禁保護品の１つの例は、特許文献１に記載されている。この文献は、軽い症状の尿失禁を蒙っている男性のための失禁保護品について記載している。保護品は、着用者の性器を取り囲むように意図された吸収性収集袋として構成されている。収集袋の開口部は、使用中は着用者に面するようにされた袋の一部を切り取った孔である。保護品が使用されている場合には、この孔は着用者の陰嚢の下に配置されるべきであり、よって陰嚢はペニスとともに収集袋の内側に配置されている。保護品は、収集袋の外側の接着性表面によって、着用者の下着パンツに固定されている。また、所定の固定効果は、失禁保護品が使用中にペニスと陰嚢との周りを優しくは辞するという事実によって得られる。保護品は、プラスティックの外側と、着用者の陰嚢に近接する液体透過性の不織層、すなわち収集袋の内側と、プラスティック層と不織層との間の吸収性構造体とを備えている。
【０００９】
特許文献１に記載された失禁保護品の有する欠点は、着用者の陰嚢が、失禁保護品のすべての材料層によって完全に取り囲まれている結果として、着用するには暑すぎ不快であるということである。
【００１０】
別の欠点は、失禁保護品が着用者の下着パンツに固定され、失禁保護品が終には着用者のペニスから離れてしまう危険を伴っているということである。失禁の問題を抱える通常のカテゴリーの男性である年配の男性は、体の周りにゆったりとフィットする下着を選択しようとする場合が多く、よって、体から離れてしまう失禁保護品の問題が比較的広く知られている。いったん失禁保護品が着用者のペニスから離隔してしまうと、漏れは実質的には避けがたい。男性用失禁保護品の別のタイプは、特許文献２から知られている。保護品は、保護品が使用されているときに、ペニス及び陰嚢の上にぴったりと位置する上部スクリーン状部分と、保護品が使用されているときに、着用者のペニス及び陰嚢の下で、ペニス及び陰嚢を完全に取り囲むことなく湾曲している下部部分とから成っている。保護品は、下方に向かって傾斜しており、椀状の形状を有している。したがって、このような保護品によって、着用者の性器のきっちりとした包囲が回避されており、このことは快適さの面からは当然に利点となっている。
【００１１】
保護品は、保護品の使用中には着用者から離隔する方に面している側に配置された両面接着テープによって所定の位置に保持されており、両面接着テープは、着用者のパンツ、又は特殊な固定用パンツの股部分に固定されている。
【００１２】
このような失禁保護品が有する問題は、着用者への固定ができないので、着用者の性器の周りにゆったりとフィットする下着パンツとともにではまったく良好には作用しないということである。
【００１３】
別の特許文献３においては、失禁保護品はまた、下向きに傾斜のついた椀状の形状を有して記載されている。記述されている保護品は、三角形状を有し、使用中には使用者に面する、保護品の側部に配置された液体透過性の表面層と、反対側の液体不透過性の表面層と、これら表面層の間に配置された吸収性本体とを備えている。保護品の２つの実質的に長手方向の端辺に沿って、弾性部材が表面層の間に配置され、保護品は、弾性部材が生産における引き伸ばされた状態から収縮されたときに、湾曲した形状を得る。
【００１４】
この文献は、保護品が使用中にどのように着用者又は着用者のパンツに固定されているかについて記載しているが、保護品は比較的ぴったりとフィットした下着パンツとともに使用されるように意図されていることを推測することができ、保護品は、いずれの特定の固定部材無しに下着パンツによって、又は所定の固定部材、例えば圧感式糊材又は表面ファスナー状のような形態の固定具によって、着用者の股部分の所定の場所に保持されることを想定されている。
【００１５】
また、失禁保護品の固定に関する特許文献２に記載された失禁保護品に対するのと同じ問題が、この失禁保護品に対しても存在する。
【００１６】
特許文献４は、最初は三角形状の材料片を有する、男性用の失禁保護品について記載しており、この三角形状の材料片は、保護品の側部に配置された、使用中には着用者に面している液体透過性の表面層と、反対側の液体不透過性の表面層と、これら表面層の間に配置された吸収性本体とを備えている。着用者の腹部に向かって着用者の股部分から離間する方向に延在するようにされた材料片の両端部は、Ｚ形状に折りたたまれており、このＺ形状に折りたたまれた端部の間に溝が形成されている。Ｚ形状に折りたたまれた形状は、横方向端辺のシールによってその位置を固定されており、着用者の背中に配置されるようにされている。その形状を保持する機能に加えて、シールはまた、失禁保護品の後部横方向部分を通過して流れ戻る尿のための遮蔽部を構成している。
【００１７】
保護品が使用されているときに、シールされていなかったＺ状に折りたたまれた領域は引き離され、後部横方向端辺に沿ったシールは、その後端部とともに保護品を保持している。この場合、保護品は下向きに傾斜のついた椀状の形状を有している。保護品は、保護品の、使用の際には着用者から離れる方に面している側に配置された表面ファスナー材によって所定の位置に保持されており、表面ファスナー材は、着用者の下着パンツの股部分に固定がなされるように配置されている。この失禁保護品に対してもまた、保護品が着用者の性器から容易に離間し、保護品に漏れを生じさせる場合があるという問題が存在する。
【００１８】
着用者の下着パンツに固定された失禁保護品にとって、失禁保護品が使用中に固定用パンツの股部分に適用されるということは通常のケースである。ゆったりとした股部分を有するパンツ又は固定用パンツに固定されるとき、このことは、失禁保護品が着用者の性器から少しだけ離間した位置を取るということ、及び失禁保護品が、着用者が動くときにはいつも使用者の性器に対して動きやすいということを意味している。排尿時に着用者の性器に対してぴったりしていない失禁保護品は、実質的に漏れの危険を増加させる。また、使用中に着用者の体に対して制御されていない方法で多少ずれる場合のある失禁保護品に関する快適性の問題もある。
【００１９】
着用者のペニス上で折りたたまれる失禁保護品は、使用されるときにあまりにも暑くなりすぎるので、通常は不快に感じられる。したがって、不快な失禁保護品を体から取り外そうとすることは、老齢の男性にとって全く通常のことである。
【特許文献１】スウェーデン国特許第４４９１７２号明細書
【特許文献２】スウェーデン国特許第４５０８１１号明細書
【特許文献３】スウェーデン国特許第５００７９３号明細書
【特許文献４】スウェーデン国特許第５０８２４０号明細書
【発明の開示】
【発明が解決しようとする課題】
【００２０】
したがって、尿失禁の男性用のきつくない失禁保護品のための改良された固定システムに対する必要性が依然としてある。失禁保護品は快適に使用されなければならず、保護品が着用されている時間を通して失禁保護品の有効な固定を提供しなければならない。固定システムはさらに、失禁保護品の着用者がゆったりとした下着パンツか固定用パンツを好むか、又はぴったりと股部分にフィットする下着パンツか固定用パンツを好むかにかかわらず、失禁保護品が使用期間を通じて着用者の性器に対して位置を保持されるように、構成されるべきである。
【課題を解決するための手段】
【００２１】
本発明によれば、導入部で検討したタイプの男性用失禁保護品が達成され、この男性用失禁保護品は、従前の既知の保護品に関連する問題を実質的に除去する。
【００２２】
導入部で検討されたタイプの男性用失禁保護品は主に、実質的に非吸収性の材料層が、吸収体から離間するように方向付けられている液体透過性のケーシング層の側に配置されているという事実によって差別化されており、材料層の周囲は、後部横方向端辺及び２つの長手方向端辺に沿って液体透過性のケーシング層又は支持層のうちの少なくとも一方に接続されている。材料層は、前部横方向端辺を有し、前部横方向端辺は自由端とされている。ここで、ポケットは材料層と液体透過性のケーシング層との間に形成されており、ポケットの開口部は材料層の前部横方向端辺に配置されている。
【００２３】
このことによって、失禁保護品の材料層と液体透過性のケーシング層との間に形成されたポケットの内側に配置されている着用者の性器によって、着用者の性器に直接固定された失禁保護品が得られる。材料層が薄く、非吸収性であるということによって、保護品は暑くならず、着用するのに不快ではなくなる。さらに、失禁保護品の着用者の性器への固定は、着用者の性器に直接行われるので、使用される下着のタイプに依存することはない。
【００２４】
本発明の１つの実施形態によれば、実質的に非吸収性材料層は、メッシュによって構成されている。
【００２５】
開口メッシュは、失禁保護品が、失禁保護品の液体透過性のケーシング層と開口メッシュによって構成された材料層との間に形成されたポケットの内側のペニスの配置によって固定されている場合、特に通気の良さと快適さを提供する。
【００２６】
失禁保護品が代替的な方法で固定されている場合、すなわち、ペニスがポケットの外側に配置されている場合、開口メッシュは、失禁保護品の中に流れ込む尿に対して最小の流れに対する抵抗しか構成しない。
【００２７】
別の実施形態によれば、実質的に非吸収性の材料層は、不織材によって構成されている。
【００２８】
１つの実施形態によれば、実質的に非吸収性の材料層は、弾性特性を示し、失禁保護品がポケットの内側のペニスで固定される場合に、ペニスを取り囲むポケットの容積を改良する。
【００２９】
１つの実施形態によれば、実質的に非吸収性の材料層は、弾性部材を備えている。
【００３０】
一以上の弾性部材を材料層に適用することによって、実質的に非吸収性材料層を弾性とする方法は、吸収性物品において材料層を弾性化するための、効果を証明された方法である。
【００３１】
１つの実施形態によれば、弾性部材は弾性糸又は弾性リボンによって構成されており、糸又はリボンは、失禁保護品の実質的に横方向に延在している。
【００３２】
失禁保護品の実質的に非吸収性の材料層の横方向の弾性特性は、使用中にポケットがペニスを非常に効果的に取り囲むということを意味する。
【００３３】
１つの実施形態によれば、実質的に非吸収性の材料層は、弾性不織材によって構成されている。
【発明を実施するための最良の形態】
【００３４】
本発明は、添付の図面を参照しつつ、より詳細に後述される。
【００３５】
本発明は、男性のためのいわゆる軽い失禁用の保護品に関する。
【００３６】
図１に示されている第１の実施形態は、軽い失禁症の男性のための失禁保護品１に関している。図１は、使用中の湾曲した構成における、使用中は着用者に面するようにされている側から見た失禁保護品を示している。
【００３７】
失禁保護品１は、略二等辺三角形状を有し、同じ長さの２つの長手方向端辺６、７は、失禁保護品１の長手方向対称線８と実質的に同じ方向に延在している。第３の端辺は、失禁保護品１の前部横方向端辺９を構成し、失禁保護品１の長手方向対称線８に対して横方向に延在している。さらに、失禁保護品１は、これも失禁保護品１の対称の長手方向線８に対して横方向に延在している後部横方向端辺１０を有している。後部横方向端辺１０は、失禁保護品が対称線８に対して横方向の最も狭いところに配置されている。後部横方向端辺１０は、使用中は失禁保護品の後方に方向付けられるようにされており、前部横方向端辺９は、着用者の下腹部に向かって前方に面するようにされている。
【００３８】
失禁保護品１は、使用中は着用者の方に面するようにされている、失禁保護品１の表面上に配置された液体透過性のケーシング層２と、使用中は着用者から離れる方に面するようにされた、失禁保護品１の表面上に配置された支持層３と、液体透過性のケーシング層２と支持層３との間に封入された吸収体４とを備えている。
【００３９】
失禁保護品１の液体透過性のケーシング層２は、吸収体４の周囲全体に沿って、吸収体４を越えて延在している。
【００４０】
液体透過性のケーシング層２は、目的に対して好適であるいずれの材料から構成することもできる。一般的に見受けられる液体透過性のケーシング材料の例は、不織材、有孔のプラスティックフィルム、プラスティック又は織物のメッシュ、及び液体透過性の発泡層である。製品の実質的に長手方向又は横方向に延在する、連続する細い繊維によって構成されている液体透過性のケーシング材料もまた見受けられる。また、上述のケーシング材料とすることのできる２以上の材料からなる積層体も、表面の別の部分が別の材料からなるケーシングと同様に、一般的に見受けられる。
【００４１】
現在は、液体透過性ケーシング層２は、全体的に又は部分的に弾性材料によって構成されることが多く、失禁保護品１に使用中のより良いフィット感を与えている。
【００４２】
特に高い強靭性と消耗体制を有する吸収体４を備えている失禁保護品１は、使用中に着用者の方に面するようにされた失禁保護品１の側に予備的な液体透過性ケーシング層を有する必要無しにでさえ機能することができる。
【００４３】
また、支持層３も吸収体４の周囲全体に沿って、吸収体４を越えて延在している。通常見受けられる失禁保護品１の支持層３は、通常は液体に対して透過性を有さないが、別のタイプの支持層もまた見受けられる。支持層３は、多くの異なる材料から構成することができる。最も一般的には、支持層３は、薄い液体不透過性のプラスティックフィルムによって構成されるが、例えばプラスティックのコーティング、液体不透過性の発泡層、液体不透過性の糊、又はその種のものによって液体不透過性にされた不織材のような別のタイプの液体不透過性材料を使用することもまた可能である。また、支持層３は、液体不透過性でかつ蒸気透過性の材料によって構成することができる。吸収体４に対して配置された少なくとも１つの液体不透過性の層を備える積層体もまた見受けられる。通常は、これら積層体は、液体遮蔽材として作用する液体不透過性材料と、失禁保護品の使用中は着用者から離れる方に方向付けされた側に配置されたより織物様の材料とによって構成されており、失禁保護品１の外側は、使用中は、より布様である。積層体の織物に似た層は、通常は不織層によって構成されている。
【００４４】
液体透過性のケーシング層２と支持層３とは、吸収体４の周囲に沿って吸収体４の外側で相互に接続されている。層２、３は、複数の熱の方法で相互に接続することができる。接続方法の例は、糊付け、熱圧着、超音波溶着、又はその種のものである。吸収体４の長手方向端辺の外側に配置された、液体透過性のケーシング層２及び支持層３の接続部分は、失禁保護品の側部フラップ１１、１２を構成している。
【００４５】
弾性部材５は、側部フラップ１１、１２の中に配置され、使用中に側部フラップ１１、１２を着用者の方に向かって立ち上げている。立ち上げられた側部ポケット１１、１２は、失禁保護品１の側部漏れ遮蔽部を構成し、液体が失禁保護品１の長手方向端辺６、７を超えて漏れ出るのを防止する役割を有している。弾性部材５は、１つ以上の弾性糸からなり、この弾性糸は、引き伸ばされた状態で、失禁保護品１の長手方向の少なくとも中央部分の液体透過性のケーシング層２と支持層３との間に適用されている。弾性部材５は、支持層３とケーシング層２とに糊付け、超音波溶着、またはその種のものによって接続されている。また、弾性部材５は、失禁保護品が湾曲した、椀状の形状の構成をとることを支援している。
【００４６】
代替的な実施形態において、弾性部材は、使用中には着用者のほうに面するようにされている側部フラップ１１、１２の側、又は側部フラップ１１、１２の反対側に配置することができ、この場合には勿論、ケーシング層２及び支持層３それぞれに接続されている。
【００４７】
代替的な実施形態においては、弾性部材は、例えば発泡性材料からなる弾性リボン材料によって構成することができる。
【００４８】
吸収体４は、１つ以上のセルロースフラフパルプからなる層で作ることができる。セルロースフラフパルプは、吸収が生じるときに化学的に大量の液体と結合し液体を含有するゲルを形成するタイプの、高度に吸収性を有するポリマー材料、いわゆる超吸収性材料の繊維又は微粒子と混合することができる。また、吸収体４は、吸収体の内側の層又は吸収体の表面に近接して、若しくは表面に配置された超吸収性材料を備えることができる。吸収体４は、さらに吸収体４の特性を改善するための追加的な構成要素を組み込むことができる。このような構成要素の例は、結合繊維、様々なタイプの液体分散層若しくは繊維、形状安定化構成要素、強化繊維又はその種のものである。また、吸収体４は、吸収性を有する不織材、吸収性を有する発泡剤、織物材、ピート又は異なるタイプの吸収性材料の混合物から勿論構成することができる。
【００４９】
吸収体４は、多くの場合失禁保護品の生産の中で形成され、吸収体４の様々な構成要素は好適に混合され生産機械の中で階層化される。失禁保護品を生産する機械に接続されていない、別々の生産ラインにおいて生産された吸収体もまた見受けることができる。予備生産された吸収性材料は通常、ロール形態で供給され、材料は失禁保護品を生産するための機械の中でカットされ折りたたまれて上述の構成とされる。予備生産された吸収性材料は、失禁保護品のための生産機械の中で直接生産された吸収体と同じ構成成分を含むことができる。本質的に、結合繊維は呼び生産された吸収性材料においては必要な構成成分であり、吸収性材料が、容易に取り扱うことができるような十分な強度を有することを可能としている。
【００５０】
また、かなり大量の液体を迅速に吸収し一時的にこの液体を保持し、よって次にこの一時的に貯蔵された液体を吸収体４の別の部分に供給する特殊層を、上述のタイプの失禁保護品に組み込むことができる。この場合、このような吸収層は通常、失禁保護品１の液体透過性ケーシング層２と吸収体４との間に配置される。図１には吸収層は示されていない。
【００５１】
失禁保護品１は、失禁保護品１の使用中は着用者の方に面するようにされた液体透過性ケーシング層２の側に配置された材料層１３を備えることによって主に差別化されている。材料層１３は、失禁保護品１の後部横方向端辺１０から前部横方向端辺９の方向に延在し、失禁保護品１の前部横方向端辺９と後部横方向端辺１０との間に配置された実質的に横方向の端辺１４を有している。
【００５２】
材料層１３の周囲１７は、長手方向端辺６、７と後部横方向端辺１０とに沿って液体透過性ケーシング層２に接続されている。
【００５３】
材料層１３の前部横方向端辺１４は自由端とされており、このことは、失禁保護品１の液体透過性ケーシング層２に接続されていないということを意味している。
【００５４】
失禁保護品１は、材料層１３とこの材料層１３に対して配置されている液体透過性ケーシング層２の一部分との間にポケット１５を有し、ポケットの開口部１６は材料層１３の横方向端辺１４に配置されている。失禁保護品１を使用する際の、ポケット１５の機能は、着用者のペニス及び、可能性として陰嚢をも取り囲むことであり、この方法によって着用者に失禁保護品１を固定することである。
【００５５】
材料層１３は、液体透過性であるとともに実質的に非吸収性である。
【００５６】
材料層１３の液体透過性であるという特性は、着用者がペニスをポケット１５の内側に配置するか、又は失禁保護品１の使用中には失禁保護品１から外側に向けられた材料層１３の側に配置するかを選択することができるということを意味している。
【００５７】
着用者がポケットの外側にペニスを配置するという代替案を選択する場合には、材料層１３は本質的には固定機能を有さない。この使用法においては、材料層１３は実際の機能を有するのではなく、付帯的な液体透過性ケーシング層としてしか作用しない。このような失禁保護品１の使用は、失禁保護品が別の方法で所定の場所に保持されることを必要とする。ぴったりとフィットする下着又はその種のものが、この場合における最も自然な固定方法である。
【００５８】
加えて、材料層１３のために実質的に液体透過性材料を選択することの利点は、失禁保護品１を固定するためのポケット１５をどの程度使用することを望むか、すなわちこの場合には、ペニスをポケットの内側に配置するか又はペニスをポケットの外側に配置し、失禁保護品を別の方法で固定することを希望するかを着用者が選択する選択肢を与えられるということである。ポケット１５に加えて、失禁保護品１はまた、使用中には着用者から離れる方に面するようにされた側の固定部材を有して設けることも勿論可能であり、この固定部材は接着タイプ、表面ファスナータイプ、又はその種のもととすることができ、着用者の下着パンツに固定するようにすることができる。
【００５９】
材料層１３に対して実質的に液体透過性材料を選択することが有するさらなる利点は、このような材料が通常は通気性をも有しているということである。通気性によって、ペニスがポケット１５の内側に配置されるという固定に対する代替案が、密度の高い材料が選択された場合とは異なり、密閉されているよう又は蒸れるように感じるということは無い。
【００６０】
例えば、材料層１３は、非吸収性のＳＭＳ材料であり、ＥＤＡＮＡ方法１２０．２−０２で試験した場合に、１０ｍｍを超える液体柱（ｌｉｑｕｉｄ  ｃｏｌｕｍｎ）を有している。
【００６１】
材料層１３に対する好適な材料の１つの例は、独国、ＰｅｉｎｅのＢＢＡ  Ｆｉｂｅｒｗｅｂから購入することができる、Ｃｏｒｏｖｉｎ  Ｇ１５ＡＨ０５（１５ｇ／ｍ２）である。独国のＦｒｅｕｄｅｎｂｅｒｇによって販売されているＬｕｔｒａｓｉｌ２０２０（２０ｇ／ｍ２）、又はスペイン国のＴｅｓａｌｃａによって販売されているＳＭＰＨＯＢ（１３ｇ／ｍ２）である。
【００６２】
支持層３、液体透過性ケーシング層２、及び吸収体４を備えている失禁保護品１の吸収部分は所定の曲げ剛性を有し、このことは、この部分が曲げられたときにその当初の範囲を再度得ようとし、ポケット１５は、使用中にペニスの周りを優しく閉じるようとする。このことによって、ペニスの周りの失禁保護品１の固定は良い方向に影響される。
【００６３】
代替的な実施形態において、材料層１３は、少なくとも失禁保護品１の長手方向の対称線８に対して横方向に、弾性特性を有することができる。弾性特性は、弾性不織材によって構成されている材料層、又は材料層に取り付けられた弾性糸又は弾性リボンによって作り出すことができる。また、材料層を２つの不織材層又はその種のものの間に積層された弾性フィルムから成る積層体によって構成することもできる。
【００６４】
図２には、代替的な実施形態による失禁保護品１が示されている。この失禁保護品１もまた追加的な材料層１３を備え、ポケット１５が液体透過性ケーシング層２と材料層１３との間に作られている。
【００６５】
材料層１３は、失禁保護品１の長手方向端辺６、７及び後部横方向端辺１０の内側で、失禁保護品１の液体透過性ケーシング層２に、材料層１３の周縁に沿って接続されている。層１３、２は、多くの異なる方法で相互に接続することができる。接続方法の例は、糊付け、熱溶着、超音波溶着、又はその種のものである。
【００６６】
材料層１３は、液体透過性ケーシング層２に接続されていない前部横方向端辺１４を有し、ポケット１５の開口部１６はこの横方向端辺１４に配置されている。
【００６７】
図３には、代替的な実施形態による失禁保護品１が示されている。
【００６８】
この実施形態においては、材料層１３は開口メッシュ材料によって構成されている。材料層１３は、失禁保護品１の液体透過性ケーシング層２に、図１の相当する材料層と同じ程度重なっている。
【００６９】
材料層１３は失禁保護品１の後部横方向端辺１０から前部横方向端辺９の方向に延在し、失禁保護品１の前部横方向端辺９と後部横方向端辺１０との間に配置された実質的に横方向の端辺１４を有している。
【００７０】
材料層１３は、長手方向端辺６、７及び後部横方向端辺１０に沿って、液体透過性ケーシング層２に接続されている。
【００７１】
材料層１３の横方向端辺１４は自由端とされており、ポケットが材料層１３と液体透過性ケーシング層２との間に形成されている。
【００７２】
材料層１３に対して好適なメッシュ材料は、米国のミネソタ州ミネアポリスのＣｏｎｗｅｄ  Ｐｌａｓｔｉｃから購入することができる。商品番号Ｔ６０００９の弾性メッシュ材料又は商品番号ＴＮ４６４０の非弾性材料は、これに関して好適であり得る。
【００７３】
この実施形態は、失禁保護品１がポケット１５の内部に配置されているペニスによって固定されるときに、勿論、通気性と快適性に関して良好な特性を示す。失禁保護品１が代替的な方法で固定される場合、すなわちポケット１５の外側にペニスが配置されている場合、失禁保護品１の液体透過性は、材料層１３の開放性によって、全く機能が損なわれることは無い。
【００７４】
また、本発明は、記載され、図示された実施形態の全ての考えられる組み合わせを包含している。
【００７５】
本発明は上述の図示された実施形態に限られず、特許請求の範囲の技術的範囲内の別の実施形態に必然的に適用可能である。
【図面の簡単な説明】
【００７６】
【図１】本発明による失禁保護品の第１の実施形態の、使用中に着用者の方に面する側からの側面図である。
【図２】本発明による失禁保護品の代替的な実施形態の、使用中に着用者の方に面する側からの側面図である。
【図３】本発明による失禁保護品のさらなる代替的な実施形態の、使用中に着用者の方に面する側からの側面図である。
【符号の説明】
【００７７】
１・・・失禁保護品
２・・・上部液体透過性ケーシング層
３・・・下部支持層
４・・・吸収体
５・・・弾性部材
６、７・・・長手方向端辺
９・・・前部横方向端辺
１０・・・後部横方向端辺
１１、１２・・・側部フラップ
１３・・・材料層
１４・・・前部横方向端辺
１５・・・ポケット
１６・・・開口部
１７・・・周縁
【図１】
2008540028.tif 000003
【図２】
2008540028.tif 000004
【図３】
2008540028.tif 000005
【手続補正書】
【提出日】平成19年8月20日(2007.8.20)
【手続補正１】
【補正対象書類名】特許請求の範囲
【補正対象項目名】全文
【補正方法】変更
【補正の内容】
【特許請求の範囲】
【請求項１】
使用中は前方に面するようにされている前部横方向端辺（９）と、
使用中は後方に面するようにされている後部横方向端辺（１０）と、
２つの長手方向端辺（６、７）と、
を有する、使い捨て式の男性用失禁保護品（１）であって、
上部液体透過性ケーシング層（２）と、
下部支持層（３）と、
前記液体透過性ケーシング層（２）と前記支持層（３）との間に配置されている吸収体（４）と、
を備え、
非吸収性の材料層（１３）が、前記吸収体（４）から離れる方向に向けられている前記液体透過性ケーシング層（２）の側に配置され、
前記材料層（１３）の周縁（１７）は、前記液体透過性ケーシング層（２）又は支持層（３）の少なくとも一方に、前記後部横方向端辺（１０）及び２つの長手方向端辺に沿って接続され、
前記材料層（１３）は、前部横方向端辺（１４）を有し、該横方向端辺は自由端とされ、
ポケット（１５）が、前記材料層（１３）と前記液体透過性ケーシング層（２）との間に形成され、
前記ポケット（１５）の開口部（１６）は、前記材料層（１３）の前記前部横方向端辺（１４）に配置されており、
実質的に非吸収性の前記材料層（１３）は、弾性特性を示していることを特徴とする失禁保護品（１）。  
【請求項２】
前記実質的に非吸収性の材料層（１３）は、メッシュによって構成されていることを特徴とする請求項１に記載の失禁保護品（１）。
【請求項３】
前記実質的に非吸収性の材料層（１３）は、不織材によって構成されていることを特徴とする請求項１に記載の失禁保護品（１）。
【請求項４】
前記実質的に非吸収性の材料層（１３）は、弾性部材を備えていることを特徴とする請求項１〜３のいずれか一項に記載の失禁保護品（１）。
【請求項５】
前記弾性部材は、弾性糸又は弾性リボンによって構成され、前記糸又はリボンは、実質的に前記失禁保護品（１）の前記横方向に延在していることを特徴とする請求項４に記載の失禁保護品（１）。
【請求項６】
前記実質的に非吸収性の材料層（１３）は、弾性不織材によって構成されていることを特徴とする請求項１に記載の失禁保護品（１）。
【国際調査報告】
2008540028.tif 000006
2008540028.tif 000007
2008540028.tif 000008
2008540028.tif 000009